(57)【要約】      （修正有）【課題】乾燥運転中に回転ドラム内の衣類の容量を判別し、回転ドラム内の衣類の容量に関わらず、回転ドラム内の衣類が電極に近接しやすくなるように、ドラム回転方向を制御すること。【解決手段】循環風吹出口が本体１後方かつ本体正面視で左方部（または右方部）に設けられ、回転ドラム２内の衣類の容量に応じて、回転ドラム２内の衣類が透明なドラム開閉板５の回転ドラム２側の下部に設けられた第２の電極８と回転ドラム２、つまり、第１の電極から構成される電極センサに近接しやすくなるように、ドラム回転方向を制御するものである。【選択図】図１
2015000096.tif 000002
【特許請求の範囲】
【請求項１】
本体内に回転自在に設けられ第１の電極である回転ドラムと、
前記回転ドラムを駆動するドラム駆動モータと、
前記回転ドラムの後方から前方へ吹き出す循環風吹出口と、
衣類等の乾燥対象を出し入れする開口部を開閉自在にするドラム開閉板と、
前記ドラム開閉板の下部かつ前記回転ドラム側表面に設けられた第２の電極と、
第２の電極に接続された静電容量検知手段とを備え、
前記回転ドラム内の衣類が前記第２の電極に近接する回数が少ない場合、前記回転ドラム内の衣類が小容量であると判定し、前記回転ドラムの回転方向を一方向に制御するようにした衣類乾燥機。
【請求項２】
本体内に回転自在に設けられ第１の電極である回転ドラムと、
前記回転ドラムを駆動するドラム駆動モータと、
前記回転ドラムの後方から前方へ吹き出す循環風吹出口と、
衣類等の乾燥対象を出し入れする開口部を開閉自在にするドラム開閉板と、
前記ドラム開閉板の下部かつ前記回転ドラム側表面に設けられた第２の電極と、
第２の電極に接続された静電容量検知手段とを備え、
前記回転ドラム内の衣類が前記第２の電極に近接する回数が多い場合、前記回転ドラム内の衣類が大容量であると判定し、前記回転ドラムの回転方向を正反転するようにした衣類乾燥機。
【発明の詳細な説明】
【技術分野】
【０００１】
本発明は、回転ドラム内で衣類等を乾燥させる衣類乾燥機に関するものである。
【背景技術】
【０００２】
従来の衣類乾燥機（例えば、特許文献１の先行事例参照）は、図５に示すように、１０１は本体で、この本体１０１内にはバネ１０２によって支持された水槽１０３と、前面を開口し後面に回転軸１０４を備え側面に通水孔１０５を設けたドラム１０６を設けている。
【０００３】
また前記回転軸１０４は、水槽１０３の後面に設けた軸受け１０７によって支持されている。回転軸１０４端部には、洗濯モータ１０８の回転をベルト１０９によって伝達されるプーリ１１０を取り付けている。
【０００４】
１１１は蓋１１２に取り付けた電極で、前記ドラム１０６が他極となっており電極１１１とドラム１０６との間で電位差を生じるようになっている。１１３は、これらの電位差を検知し適切な乾燥状態で乾燥行程を終えるよう制御する制御部である。１１４は送風用の送風ファンで、ヒータ１１５・水槽１０３・熱交換器１１６・ダクト１１７とともに一連の温風循環経路を構成している。
【０００５】
また水槽１０３前面には本体１０１との間に水密性を保持するベローズ１１８を備え、前記テーパ状の蓋１１２と嵌合するようになっている。なお１１９は水槽１０３と本体１０１との間に設けたダンパーで、洗濯中の水槽１０３の振動が本体１０１に伝達されることを防止している。
【０００６】
以上の構成で、洗濯・すすぎ・脱水・乾燥を一連の行程として実行するものである。この乾燥行程の終了は、電極１１１とドラム１０６との間の電位差が所定値以下に達したことを検知して行っているものである。つまり、ドラム１０６内の衣類が湿っていると、衣類を介して電極１１１とドラム１０６間の電位差は所定値以上を示すものである。乾燥が進んで衣類に含まれている水分が少なくなるにつれて、この電位差は減少するものである。
【先行技術文献】
【特許文献】
【０００７】
【特許文献１】特開平６−８６８９７号公報
【発明の概要】
【発明が解決しようとする課題】
【０００８】
しかしながら、前記従来の衣類乾燥機は、衣類乾燥機の開閉蓋、つまり、ドラム開閉板全面に電極が設けられており、回転ドラム内への循環風吹出口が本体前方に、かつ電極が本体前方に設けられているため、回転ドラム内の衣類が小容量の場合、回転ドラム内の衣類が電極に近接しにくいという課題があった。
【課題を解決するための手段】
【０００９】
前記従来の課題を解決するために、本発明の衣類乾燥機は、本体内に回転自在に設けられ第１の電極である回転ドラムと、前記回転ドラムを駆動するドラム駆動モータと、前記回転ドラムの後方から前方へ吹き出す循環風吹出口と、衣類等の乾燥対象を出し入れする開口部を開閉自在にするドラム開閉板と、前記ドラム開閉板の下部かつ前記回転ドラム側
表面に設けられた第２の電極と、第２の電極に接続された静電容量検知手段とを備え、前記回転ドラム内の衣類が前記第２の電極に近接する回数が少ない場合、前記回転ドラム内の衣類が小容量であると判定し、前記回転ドラムの回転方向を一方向に制御するようにした衣類乾燥機である。
【発明の効果】
【００１０】
本発明の衣類乾燥機は、回転ドラム内の衣類の容量に関わらず、回転ドラム内の衣類が電極に近接しやすいため、衣類の乾き度合いおよび容量を判定でき、乾燥運転を最適に行うことができる。
【図面の簡単な説明】
【００１１】
【図１】本発明の実施の形態１における衣類乾燥機の概略構成図
【図２】同衣類乾燥機の図１のＡ−Ａ矢視図
【図３】同衣類乾燥機の回転ドラム内の衣類が小容量の場合の静電容量検知手段の単位時間あたりの検知回数およびドラム回転数の時間変化を示す概略図
【図４】同衣類乾燥機の回転ドラム内の衣類が大容量の場合の静電容量検知手段の単位時間あたりの検知回数およびドラム回転数の時間変化を示す概略図
【図５】従来の衣類乾燥機の断面図
【発明を実施するための形態】
【００１２】
第１の発明は、本体内に回転自在に設けられ第１の電極である回転ドラムと、前記回転ドラムを駆動するドラム駆動モータと、前記回転ドラムの後方から前方へ吹き出す循環風吹出口と、衣類等の乾燥対象を出し入れする開口部を開閉自在にするドラム開閉板と、前記ドラム開閉板の下部かつ前記回転ドラム側表面に設けられた第２の電極と、第２の電極に接続された静電容量検知手段とを備え、前記回転ドラム内の衣類が前記第２の電極に近接する回数が少ない場合、前記回転ドラム内の衣類が小容量であると判定し、前記回転ドラムの回転方向を一方向に制御するようにしたことにより、回転ドラム内の衣類が小容量の場合に、回転ドラム内の衣類が電極に近接しやすいため、衣類の乾き度合いを精度よく判定できる。
【００１３】
第２の発明は、本体内に回転自在に設けられ第１の電極である回転ドラムと、前記回転ドラムを駆動するドラム駆動モータと、前記回転ドラムの後方から前方へ吹き出す循環風吹出口と、衣類等の乾燥対象を出し入れする開口部を開閉自在にするドラム開閉板と、前記ドラム開閉板の下部かつ前記回転ドラム側表面に設けられた第２の電極と、第２の電極に接続された静電容量検知手段とを備え、前記回転ドラム内の衣類が前記第２の電極に近接する回数が多い場合、前記回転ドラム内の衣類が大容量であると判定し、前記回転ドラムの回転方向を正反転するようにしたことにより、回転ドラム内の衣類が大容量の場合に、回転ドラム内の衣類が電極に近接しやすいため、衣類の乾き度合いを精度よく判定できる。
【００１４】
以下、本発明の実施の形態について、図面を参照しながら説明する。なお、この実施の形態によって本発明が限定されるものではない。
【００１５】
（実施の形態１）
図１は、本発明の第１の実施の形態における衣類乾燥機の概略構成図、図２は、図１のＡ−Ａ矢視図を示すものである。
【００１６】
図１〜図２において、衣類乾燥機の本体１内にステンレスなどの金属で構成される回転ドラム２が回転可能に設けられ、後面に取り付けたモータ３によって回転駆動される。モータ３はブラシレス直流モータで構成され、インバータ制御によって回転速度および回転
方向が自在に変化させることができるようになっている。回転ドラム２は、略有底円筒状に形成され、その回転軸２ａは本体１に対して水平方向（または斜め方向）に設定されている。
【００１７】
回転ドラム２の前面側に衣類等の乾燥対象を出し入れする開口部４が設けてあり、開口部４を開閉自在なドラム開閉板５によって開閉することができる。
【００１８】
ドラム開閉板５は衣類乾燥機の使用者が回転ドラム内の衣類に対して、視認性を確保できるように透明素材で構成されている。回転ドラム２の内周側面には、衣類等を撹拌するバッフル６が複数突設してあり、回転ドラム２の回転によって衣類等がバッフル６で持ち上げられ、回転ドラム２内で撹拌される。
【００１９】
本体１内の前部には、回転ドラム２の前面側に設けた円形の開口部４と対向するように内周板７が環状に配設され、開口部４の縁部に沿ってドーナツ状に形成されている。ドラム開閉板５の下部かつ回転ドラム２側の表面には、第２の電極８が設けられており、回転ドラム２を第１の電極とし、第２の電極８および回転ドラム２（つまり、第１の電極）により電極センサが構成されている。
【００２０】
第２の電極８は、衣類乾燥機の使用者が回転ドラム内の衣類に対して、視認性を確保できるように、ドラム開閉板の回転ドラム２側の下部に設けられている。
【００２１】
演算手段１６は、本体１内の上方前部に配設されており、第２の電極８および回転ドラム２（つまり、第１の電極）から構成される電極センサからのセンサ信号を演算し、ドラム駆動モータ３および乾燥用空気の温度を調整するヒータ等の加熱手段９、回転ドラム２内に送風される乾燥用空気の送風量を調整しる送風ファン等の送風手段１０を制御する。
【００２２】
回転ドラム２への循環風吹出口１１は、本体後方の本体正面方向の左方部（または右方部）に設けられており、回転ドラム２の後方から前方へ循環風を吹き出す構成となっている。
【００２３】
以上のように構成された衣類乾燥機について、以下にその動作、作用を説明する。
【００２４】
乾燥運転の開始により、回転ドラム２がドラム駆動モータ３によって所定の回転数で回転し、回転ドラム２内に所定温度の乾燥用空気が送風される。回転ドラム２内に投入された湿った衣類は、回転ドラム２の回転動作によりバッフル６によって上方へ持ち上げられて撹拌され、乾燥用空気との近接により水分が除去されて乾燥が進行する。
【００２５】
回転ドラム２内の回転動作によって、湿った衣類が回転ドラム２内の下方空間へ攪拌され、第２の電極８に近接した場合、第２の電極８に接続された静電容量検知手段（図示せず）から演算手段１６に検知信号が入力される。
【００２６】
演算手段１６は、第２の電極８から入力される単位時間あたりの検知信号のデータ数を演算処理することにより、回転ドラム２内の衣類の容量および衣類の乾き状態を判別する。
【００２７】
演算手段１６は、第２の電極８から入力される単位時間あたりの検知信号のデータ数に基づき、回転ドラム２内の衣類の容量および衣類の乾き状態に応じて、ドラム駆動モータ３、ヒータ等の加熱手段９、送風ファン等の送風手段１０を制御する。
【００２８】
図３は、回転ドラム２への循環風吹出口１１は、図１で示す本体後方の本体正面方向の
左方部に設けられている状態において、衣類乾燥機の回転ドラム２内の衣類が小容量である場合の乾燥運転時間ｔに対する静電容量検知手段の単位時間あたりの検知回数Ｙｎ、ドラム回転数Ｆｄを示している。
【００２９】
乾燥運転開始時点ｔ０からドラム回転数Ｆ（＋）で、ドラム回転方向を本体正面方向の右回転、つまり正転させることにより、静電容量検知手段の単位時間あたりの検知回数Ｙｎは単位時間あたりの検知回数がＹ１（Ｙ１は回転ドラム２内の衣類の有無を判別する単位時間あたりの検知回数が少ないということ）であり、衣類の容量判別時点ｔ１からドラム回転数Ｆ（＋）、ドラム回転方向を本体正面方向の右回転、つまり、正転させることにより、回転ドラム２内の小容量の衣類が本体正面方向の左方部に局所的に分布させ、本体後方の本体正面方向の左方部に設けられている循環風吹出口１１から送風される循環風によって、小容量の衣類が回転ドラム２内の本体前方部に押し出されることとなる。
【００３０】
これにより、静電容量検知手段の単位時間あたりの検知回数Ｙｎは、静電容量検知手段の単位時間あたりの検知回数が増加してＹ２（Ｙ２は回転ドラム２内の衣類の有無を判別する単位時間あたりの検知回数が多いということ）となり、乾燥運転終了時点ｔ２でドラム駆動モータ３およびヒータ等の加熱手段９、送風ファン等の送風手段１０を停止させる。
【００３１】
図４は、回転ドラム２への循環風吹出口１１は、図１で示す本体後方の本体正面方向の左方部に設けられている状態において、衣類乾燥機の回転ドラム２内の衣類が大容量である場合の乾燥運転時間ｔに対する静電容量検知手段の単位時間あたりの検知回数Ｙｎ、ドラム回転数Ｆｄ２２を示している。
【００３２】
乾燥運転開始時点ｔ０からドラム回転数Ｆ（＋）で、ドラム回転方向を本体正面方向の右回転、つまり正転させることにより、静電容量検知手段の単位時間あたりの検知回数Ｙｎ２１は単位時間あたりの検知回数がＹ２（Ｙ２は回転ドラム２内の衣類の有無を判別する単位時間あたりの検知回数が多いということ）であり、衣類の容量判別時点ｔ１からドラム回転数Ｆ（＋）およびＦ（−）、つまり、ドラム回転方向を本体正面方向の左右回転、つまり正反転させることにより、回転ドラム２内の大容量の衣類が本体正面方向に対して、均一に分布する、
これにより、静電容量検知手段の単位時間あたりの検知回数Ｙｎ２１は静電容量検知手段の単位時間あたりの検知回数がＹ２（Ｙ２は回転ドラム２内の衣類の有無を判別する単位時間あたりの検知回数が多いということ）となり、乾燥運転終了時点ｔ２でドラム駆動モータ３およびヒータ等の加熱手段９、送風ファン等の送風手段１０を停止させる。
【００３３】
以上のように、本発明の衣類乾燥機は、回転ドラム２への循環風吹出口１１が本体後方の本体正面方向の左方部（または右方部。ただし、右方部の場合は、衣類が小容量であると判定された際に回転ドラム２を左回転させることで、同様の効果が得られる。）に設けられ、第２の電極８が透明なドラム開閉板５の回転ドラム２側の下部に設けられた衣類乾燥機としたことにより、回転ドラム２内の衣類の電極に近接する単位時間あたりの回数から、回転ドラム２内の衣類の容量を判別し、衣類の容量に応じて、回転ドラム２内の衣類が静電容量検知手段に近接する単位時間あたりの回数がより多くなるように、ドラム回転方向を制御することにより、回転ドラム２内の衣類の容量に関わらず、回転ドラム２内の衣類が電極に近接しやすいため、衣類の乾き度合いを精度よく判定でき、乾燥運転を最適に行うことができる。
【産業上の利用可能性】
【００３４】
以上のように、本発明にかかる衣類乾燥機は、乾燥運転の進行とともに回転ドラム内の衣類等の容量を段階的に検知し、回転ドラム内の衣類の容量に関わらず、回転ドラム内の
衣類が電極に近接しやすいため、衣類の乾き度合いを精度よく判定でき、乾燥運転を最適に行うことができるため、衣類乾燥機として有用である。
【符号の説明】
【００３５】
１  本体
２  回転ドラム（第１の電極）
３  ドラム駆動モータ
５  ドラム開閉板
８  第２の電極
９  加熱手段
１０  送風手段
１１  循環風吹出口
１６  演算手段
【図１】
2015000096.tif 000003
【図２】
2015000096.tif 000004
【図３】
2015000096.tif 000005
【図４】
2015000096.tif 000006
【図５】
2015000096.tif 000007